(57)【要約】【課題】高所作業の安全性を一層高め、また様々な施工現場にも対応できる汎用性に富む作業用足場ユニットを提供する。【解決手段】設置場所の上方に向って順次継足して延設されるポストフレームと、このポストフレームに沿ってその上下方向に移動する昇降装置本体とを備えた昇降装置の作業用足場ユニット１である。ポストフレームの上下方向に延在して設けられる第１フレーム１１と、この第１フレーム１１に設けられた足場板１３と、第１フレーム１１に設けられると共にこの第１フレーム１１をポストフレームに着脱自在に連結するクランプ１８とを備える。【選択図】  図１
2006257770.tif 000002
【特許請求の範囲】
【請求項１】
設置場所の上方に向って順次継足して延設されるポストフレームと、このポストフレームに沿ってその上下方向に移動する昇降装置本体と、を備えた昇降装置の作業用足場ユニットであって、
前記ポストフレームの上下方向に延在して設けられるフレームと、このフレームに取り付けられた足場部材と、前記フレームに設けられると共にこのフレームを前記ポストフレームに着脱自在に連結する連結部材と、を備えることを特徴とする作業用足場ユニット。
【請求項２】
前記フレームには、前記ポストフレームに当接して前記ポストフレームの左右方向に対する前記フレームの位置ずれを防止する位置ずれ防止部材が設けられ、
前記位置ずれ防止部材は、前記フレームにおいて前記連結部材より低い位置に設けられていることを特徴とする請求項１に記載の作業用足場ユニット。
【発明の詳細な説明】
【技術分野】
【０００１】
本発明は、作業用足場ユニットに関し、工事用エレベータのポスト付帯作業等に好適に用いることができる作業用足場ユニットに関する。
【背景技術】
【０００２】
この種の背景技術として、例えば、特許文献１に開示された工事用エレベータの作業通路がある。
【０００３】
この作業通路は、高層ビル等の建設現場で見られる工事用エレベータの設置や解体、保守点検等に用いる仮設の作業通路である。その構成は、建設主体のベランダ構造部に固定する基板部材と、ベランダ構造部の近接したエレベータポスト側に設ける壁継ぎ部材と、この基板部材と壁継ぎ部材との間に掛渡された足場部材とを備え、この足場部材によって作業者の足場、すなわち作業通路がエレベータポストの周囲に確保されるものである。したがって、作業者はエレベータポストの付帯作業を安全に行うことができる。
【特許文献１】特開２００１−１４６８３７号公報
【発明の開示】
【発明が解決しようとする課題】
【０００４】
ところで、上述の作業通路は、ベランダ構造部とエレベータポストとの間に仮設されるものであるため、エレベータポストの最寄にベランダ構造部が無い施工現場では使用することができなかった。
このため、ベランダ構造部が存在しない施工現場では、作業員がエレベータポストによじ登り、安全帯とロリップを頼りにしてポストの延長作業等を行っていた。
【０００５】
本発明は、このような技術的背景に鑑みてされたもので、高所作業の安全性を一層高め、また様々な施工現場にも対応できる汎用性に富む作業用足場ユニットを提供することを課題とする。
【課題を解決するための手段】
【０００６】
上記のような技術的課題を解決するため、本発明では以下の構成とした。
本発明は、設置場所の上方に向って順次継足して延設されるポストフレームと、このポストフレームに沿ってその上下方向に移動する昇降装置本体と、を備えた昇降装置の作業用足場ユニットであって、
前記ポストフレームの上下方向に延在して設けられるフレームと、このフレームに取り付けられた足場部材と、前記フレームに設けられると共にこのフレームを前記ポストフレームに着脱自在に連結する連結部材と、を備えることを特徴とする。
【０００７】
本発明では、ポストフレームの最寄りにベランダ構造物等が無くとも、本作業足場ユニット単体でポストフレームの周囲に作業者の足場を確保することができる。また、本作業足場ユニットは、ポストフレームに対して着脱自在であるため、ポストフレームが設置された様々な施工現場で用いることができる。
【０００８】
また、前記フレームには、前記ポストフレームに当接し、ポストフレームの左右方向に対する前記フレームの位置ずれを防止する位置ずれ防止部材が設けられ、前記位置ずれ防止部材は、前記フレームにおいて前記連結部材より低い位置に設けられる構成であってもよい。
【０００９】
このようにすれば、ポストフレームの左右方向に対するフレームの位置ずれを防止することができる。よって、ポストフレームの形状を問わず、本作業足場ユニットは、この位置ずれ防止部材によってポストフレームに強固に固定されることになる。また、連結部材より低い位置に位置ずれ防止部材が設けられているため、作業員が乗込んだ際には、連結部材が支点となり、位置ずれ防止部材が作用点となり、以て、位置ずれ防止部材はポストフレームに強く押しつけられることになる。
【００１０】
上記した課題を解決するための手段に記載の内容は、本発明の課題や技術的思想を逸脱しない限りにおいて可能な限り組合わせることができる。
【発明の効果】
【００１１】
本発明によれば、高所作業の安全性をより一層高めることができ、また様々な状況の施工現場にも対応できる汎用性に富んだ作業用足場ユニットを提供することができる。
【発明を実施するための最良の形態】
【００１２】
以下、本発明に係る作業用足場ユニット１について、工事用エレベータの組立て作業を例に説明する。
なお、本作業用足場ユニット１は、工事用エレベータの組立て作業のみならず、その保守や解体作業、さらにはエレベータポストと同様の工法で組立てるタワークレーンのポスト付帯作業等にも使用できるものである。
【００１３】
まず、本作業用足場ユニット１の取付け対象となる工事用エレベータのエレベータポストについて説明する。なお、以下に説明するエレベータポストの構造は、公知のエレベータポストに準ずる。
【００１４】
エレベータポストは、鋼製パイプを方形に組み上げて製作したトラスフレームの集合体であり、施工場所では、建築物の壁面に沿ってこれらエレベータポストの単体（以下、ポストフレームＰと称する）を順次上方に積上げて、建築物の高さに見合ったエレベータポストを構築する。そして、このようにしてエレベータポストを二本設置し、その間に搬送籠や滑車等で構成されたエレベータ本体（昇降装置本体）を設置する。
【００１５】
本実施の形態に示す作業用足場ユニット１は、図１に示すように足場板１３や複数のフレームで構成された本体部１０と、この本体部１０をポストフレームＰに対して着脱自在に連結するクランプ１８と、ポストフレームＰに対する作業用足場ユニット１の位置ずれを防止する位置ずれ防止部材１９と、を備えている。
【００１６】
本体部１０は、ポストフレームＰとの連結時に於いてポストフレームＰの間隔（横幅）に合わせて配置されて且つポストフレームＰの上下方向に延びる一組の第１縦フレーム１１と、それぞれの第１縦フレーム１１から水平方向に延出された水平フレーム１２と、水平フレーム１２の先端から上方に立ち上げられた第２縦フレーム１５と、各フレーム１１，１２，１３をポストフレームＰの幅方向において相互に連結する複数の横フレーム１４とを備えている。
【００１７】
第１縦フレーム１１は、図２に示すようにＬ形アングル等で構成され、その長さの中間部分より低い位置に水平フレーム１２が設けられている。また、第１縦フレーム１１の上端部と、第１フレーム１１の下端部、並びに水平フレーム１２の基部等にそれぞれ横フレーム１４が設けられている。
【００１８】
水平フレーム１２は、図３に示すように足場板１３をその裏面側から支えるためのフレームであり、この水平フレーム１２間に足場板１３が固定されている。また、水平フレー
ム１２の各端部には横フレーム１４が設けられ、更に足場板１３の下面には足場板１３の歪みを防止する第１補強フレーム１２ａが設けられている。また、水平フレーム１２の先端と縦フレーム１１の下端とを連結する第２補強フレーム１２ｂが水平フレーム１２の下方に設けられている。
【００１９】
そして、水平フレーム１２の先端から上方に向って第２縦フレーム１５が立ち上げら、これら第２縦フレーム１５を相互に連結するように手すり用の横フレーム１４ａが複数設けられている。
【００２０】
また、第２縦フレーム１５の上部と第１縦フレーム１１の上部にはそれぞれ包囲索としてクサリ１７を連結するためのリング１６が設けられており、第２フレーム１５と第１フレーム１１との間にはクサリ１７が掛渡されることになる。そして、本作業用足場ユニット１に乗込む際には、このクサリ１７の一端を第１フレーム１１若しくは第２縦フレーム１５から外して乗込む。
【００２１】
続いて、上述の本体部１０をポストフレームＰに連結するクランプ１８及び位置ずれ防止部材１９について説明する。
クランプ１８は、ポストフレームＰのポスト径に対応した内径を有する着脱自在のクランプ１８であり、ポストフレームＰをクランプ１８で銜えてクランプ１８のボルトを締付けることで、本体部１０とポストフレームＰとが固定され、クランプ１８のボルトを緩めてクランプ１８を開くと本体部１０をポストフレームＰから取外すことができる。また、クランプ１８は、水平フレーム１２の基部1２ａに近い第１縦フレーム１１背面側すなわちポストフレームＰ側にそれぞれ設けられている。
【００２２】
位置ずれ防止部材１９は、第１縦フレーム１１の下端に設けられたＬ形アングルで構成されており、このＬ形アングルの内面側がポストフレームＰに沿って当接することで、ポストフレームＰの左右方向に対する第１縦フレーム１１の位置ずれが防止される。より詳しく説明すると、Ｌ形アングルがその内面側の２カ所においてポストフレームＰの表面に接することで、第１縦フレーム１１すなわち本体部１０の位置が決る。
【００２３】
また、位置ずれ防止部材１９は、上述のクランプ１８より低い位置に設けられており、足場板１３に作業者らが乗込むことで、位置ずれ防止部材１９はクランプ１８を支点にしてポストフレームＰ側に強く押圧される。よって本体部１０は、より一層強固にポストフレームＰに固定されることなる。
【００２４】
続いて、上記の作業用足場ユニット１の設置作業について説明する。まず、自走式クレーン車輌等でポストフレームＰを数段積上げ、さらにエレベータ本体をエレベータポスト間に設ける。続いて、本作業用足場ユニット１をエレベータポストの最上部付近につり上げる。また、エレベータ本体に作業者が乗込み、クレーン装置によってつり上げられた作業用足場ユニット１をエレベータ側からポストフレームＰに固定する。
【００２５】
続いて、ポストフレームＰを更に積上げるときには、作業用足場ユニット１に作業員が乗込み、新設されるポストフレームＰと既設のエレベータポストとの締結作業をこの作業用足場ユニット１内で行う。このように、作業者は、本作業用足場ユニット１に乗込んで作業することで、ポストフレームＰの締結作業を手元で行える。
【００２６】
なお、上記した実施の形態はあくまでも本発明の一実施の形態にすぎず、その詳細は、各種仕様に応じて適宜変更可能である。
例えば、上記の実施の形態では、ポストフレームＰに対して作業用足場ユニット１を一機設置したが、図５に示すように作業用足場ユニット１を２機連結して作業スペースを増
やすことも可能である。
【００２７】
この構成では、図５及び図６に示すように方形のポストフレームＰに対して、その側面と正面に作業用足場ユニット１ａ，１ｂを設置する。そして、ポストフレームＰのコーナーを跨いで各作業用足場ユニット１ａ，１ｂの踊場すなわち足場板１３をつなぐ連結板２０を各作業用足場ユニット１ａ，１ｂに設置する。
【００２８】
連結板２０は、三角形であり、その斜辺部において各作業用足場ユニット１ａ，１ｂの足場板１３ａ，１７ｂにボルト２１を用いて締結する。
なお、連結板２０は、一方の作業用足場ユニット１ａに予め設けておくこともでき、さらに、その場合には、蝶番２２等を用いて連結板２０を折畳み自在に設けることもできる。
【００２９】
また、上記の実施の形態では、連結部材としてクランプ１８を用いて本作業用足場ユニット１を固定した、必ずしもその必要はなく、例えば、フックや連結用のクサリ等を用いて本作業用足場ユニット１をポストフレームＰに連結するようにしてもよい。
【００３０】
上記の実施の形態では、第１フレーム１１にクランプ１８を設けているが、第１フレーム１１間に配置される横フレーム１４にクランプ１８を設けてもよい。
また、横フレーム１４の長手方向にクランプ１８の固定部となる取付け穴を複数設け、両クランプ１８間の間隔をポストフレームＰの幅にあわせて、適宜変更可能とする構成であってもよい。この場合には、位置ずれ防止部材１９も同様にして、ポストフレームＰの幅方向に、その間隔の変更を可能にしてもよい。
【００３１】
上述のように、本作業用足場ユニット１の詳細は、各種仕様に応じて適宜変更可能である。
【図面の簡単な説明】
【００３２】
【図１】本実施の形態に示す作業用足場ユニットの斜視図である。
【図２】本実施の形態に示す作業用足場ユニットの側面図である。
【図３】本実施の形態に示す作業用足場ユニットの平面図である。
【図４】本実施の形態に示す作業用足場ユニットとエレベータポスト（ポストフレーム）との連結状態を示す図である。
【図５】エレベータポストに対して本実施の形態に示す作業用足場ユニットを２機設置した状態を示す図である。
【図６】図５に示す作業用足場ユニットの設置状態をエレベータポストの上方から見た図である。
【符号の説明】
【００３３】
１    作業用足場ユニット
１ａ  作業用足場ユニット
１ｂ  作業用足場ユニット
１０    本体部
１１    第１縦フレーム
１２    水平フレーム
１２ａ  第一補強フレーム
１２ｂ  第一補強フレーム
１３    足場板
１４    横フレーム
１４ａ  横フレーム
１５    第２縦フレーム
１６    リング
１７    クサリ
１８    クランプ
１９    位置ずれ防止部材
２０    連結板
２１    ボルト
２２    蝶番
Ｐ    ポストフレーム
【図１】
2006257770.tif 000003
【図２】
2006257770.tif 000004
【図３】
2006257770.tif 000005
【図４】
2006257770.tif 000006
【図５】
2006257770.tif 000007
【図６】
2006257770.tif 000008